(57)【特許請求の範囲】
【請求項１】
第１セルラ無線電話標準に相当する広帯域幅受信モードと、前記広帯域幅受信モードよりも狭く、第２セルラ無線電話標準に相当する狭帯域幅受信モードとのうちの１つを選択する手段（２０）を含む多重モード・セルラ無線電話であって、
前記広帯域幅受信モードを選択し、狭帯域幅信号に対して走査するように前記選択する手段を制御する手段
を特徴とする多重モード・セルラ無線電話。
【請求項２】
請求項１記載の多重モード・セルラ無線電話において、前記制御する手段は
前記狭帯域幅受信モードを選択し、広帯域幅信号に対して走査するように前記選択する手段を制御する手段
を更に含む多重モード・セルラ無線電話。
【請求項３】
請求項１記載の多重モード・セルラ無線電話において、前記第１セルラ無線電話標準と前記第２セルラ無線電話標準とはＡＭＰＳと、ＩＳ９５と、ＧＳＭとから選択されたセルラ無線電話標準の２つを含む多重モード・セルラ電話。
【請求項４】
請求項１記載の多重モード・セルラ無線電話であって、
複素信号サンプルを得るために、前記広帯域幅受信モードで受信される信号をディジタル化し、狭帯域幅信号に対して走査する手段と、
前記第２セルラ無線電話標準におけるチャネルに相当する複数の狭帯域幅の各々内のエネルギーを決定するために前記複素信号サンプルを処理する手段と
を更に含む多重モード・セルラ無線電話。
【請求項５】
請求項１記載の多重モード・セルラ無線電話において、
前記制御する手段は前記広帯域幅受信モードで連続のチャネル周波数に同調するようにかつ前記連続のチャネル周波数上で信号測定を行うように受信機を制御する手段を更に含み、
二重モード無線電話は前記連続のチャネル周波数から少なくとも１つのチャネル周波数を選択するために前記信号測定を処理する手段と、前記狭帯域幅受信モードを選択しかつ前記狭帯域幅受信モードで少なくとも１つのチャネル周波数を走査するように前記選択する手段を制御する手段とを更に含む
多重モード・セルラ無線電話。
【請求項６】
異なった信号帯域幅の少なくとも２つのセルラ無線電話標準に適合する多重モード・セルラ電話において制御チャネル信号を探索する方法であって、
異なった信号帯域幅の前記少なくとも２つのセルラ無線電話標準の帯域幅のより広い標準に適合する受信機帯域幅を選択し（５０２）、異なった信号帯域幅の前記少なくとも２つのセルラ無線電話標準の帯域幅の、前記より広い標準に対して異なった信号帯域幅の前記少なくとも２つのセルラ無線電話標準の帯域幅の、より狭い標準に適合する制御チャネルを探索する（５０４）ステップを含むこと
を特徴とする方法。
【請求項７】
請求項６記載の方法であって、
異なった信号帯域幅の前記少なくとも２つのセルラ無線電話標準の帯域幅のより狭い標準に適合する受信機帯域幅を選択し、異なった信号帯域幅の前記少なくとも２つのセルラ無線電話標準の前記帯域幅の、より狭い標準に対して異なった信号帯域幅の前記少なくとも２つのセルラ無線電話標準の帯域幅の、より広い標準に適合する制御チャネルを探索するステップ
を更に含む方法。
【請求項８】
請求項６記載の方法において、異なった信号帯域幅の前記少なくとも２つのセルラ無線電話標準はＡＭＰＳと、ＩＳ９５と、ＧＳＭとから選択されたセルラ無線電話標準の少なくとも２つを含む方法。
【請求項９】
請求項６記載の方法であって、
複素信号サンプルを得るために前記受信機帯域幅の選択に応答して受信される信号をディジタル化するステップと、
異なった信号帯域幅の前記少なくとも２つのセルラ無線電話標準の帯域幅の前記より狭い標準におけるチャネルに相当する複数の狭帯域幅の各々内のエネルギーを決定するために前記複素信号サンプルを処理するステップと
を更に含む方法。
【請求項１０】
請求項６記載の方法であって、
異なった信号帯域幅の前記少なくとも２つのセルラ無線電話標準の帯域幅の、前記より広い標準における一連のチャネル周波数に同調するように受信機を制御することによって、異なった信号帯域幅の前記少なくとも２つのセルラ無線電話標準の帯域幅の前記より狭い標準に適合する制御チャネルを探索するステップと、
前記一連のチャネル周波数上で信号測定を行うステップと、
前記一連のチャネル周波数から少なくとも１つのチャネル周波数を選択するために前記信号測定を処理するステップと、
異なった信号帯域幅の前記少なくとも２つのセルラ無線電話標準の帯域幅の、前記より狭い標準に適合する受信機帯域幅を選択するステップと、
異なった信号帯域幅の前記少なくとも２つのセルラ無線電話標準の帯域幅の、前記より狭い標準に適合する前記受信機帯域幅を使用して前記少なくとも１つのチャネル周波数を走査するステップと
を更に含む方法。
【発明の詳細な説明】
【０００１】
（発明の分野）
この発明は、セルラ無線電話及びそれに対する操作方法、特にセルラ無線電話に対するチャネル捕捉に関する。
【０００２】
（発明の背景）
セルラ無線電話は、音声及び／又はデータの無線移動体通信に広く使用される。本明細書に使用されるように、用語「セルラ無線電話」は、セルラ無線電話システムにアクセスする広範多岐な携帯無線電話機を包含する。セルラ無線電話は、ハンドヘルド又はバッグ・ホーン種類の形態電話及び永久取付けカー・セルラ電話を含む。用語「セルラ電話」はまた、セルラ電話の機能に加えて、ファクシミリ応用、データ通信応用、データ処理応用、ワード・プロセシング応用及びその他の機能のような機能を備える無線端末を含む。機能追加されたセルラ無線電話は、「パーソナル・コンミュニケーション・システム（Ｐｅｒｓｏｎａｌ  Ｃｏｍｍｕｎｉｃａｔｉｏｎ  Ｓｙｓｔｅｍ）；  ＰＣＳ）」としばしば呼ばれる。
【０００３】
セルラ無線電話に電源を入れると、セルラ無線電話はセルラ無線電話システムと共に初期手順を遂行する。一般に、セルラ無線電話は、適当な制御チャネルを捜し出す（ｌｏｃａｔｅ）ために複数のチャネル及び／又はタイム・スロットを走査する。米国ＡＭＰＳシステムで動作するセルラ無線電話は、放送制御チャネルを捜し出すためにパワーアップ（ｐｏｗｅｒ−ｕｐ）に当たって限定数のチャネルを走査することを必要とするに過ぎないことがある。放送制御チャネルは、一般に、走査時間を短縮するために、約１ＭＨｚ広さの利用可能スペクトルの小部分に閉じ込められている。更に、ＡＭＰＳでは、放送制御チャネル伝送は、一般に連続伝送であるから、受信機はいかなるときにも走査されたチャネルに留まることができかつ測定を行うことができる。アナログ・セルラ電話では、１つのチャネルから次のチャネルへの周波数変化を最少限にするために逐次順序でチャネルを走査することが知られている。
【０００４】
現在の傾向は、音声及び／又はデータ・トラフィックにディジタル伝送を利用することである。いくつかのディジタル・セルラ標準が使用されており、これらは時分割多元接続（Ｔｉｍｅ  Ｄｉｖｉｓｉｏｎ  Ｍｕｌｔｉｐｌｅ  Ａｃｃｅｓｓ；  ＴＤＭＡ）に基づいている。ＴＤＭＡシステムは、１８００ＭＨｚ帯域に使用されるときＤＣＳ１８００として及び米国で使用されるときＰＣＳ１９００としてまた知られている、ＩＳ１３６（Ｄ−ＡＭＰＳ）システム及びＧＳＭシステムを含む。ＴＤＭＡ標準は、目下進展しており、より長い電池寿命のようなサービス及び製品利用の面で改善を行い続けている。例えば、Ｄ−ＡＭＰＳシステムに導入された１特徴はディジタル制御チャネル（Ｄｉｇｉｔａｌ  Ｃｏｎｔｒｏｌ  Ｃｈａｎｎｅｌ；  ＤＣＣ）であって、これは呼出しを待機するためにＤＣＣ上に布設されるセルラ無線電話の予備電池の電力消費を減少させることができる。ＡＭＰＳ放送制御チャネルと異なり、ＤＣＣは連続搬搬送信号である必要はなく、３スロットＴＤＭＡフレームの１スロットのみを占有する。他の２スロットは、トラフィックを含むことができるが、しかし低需要の期間中空であってよい。このようなＴＤＭＡシステムに伴う主な関心は、少なくとも１つのＴＤＭＡバースト伝送を含むチャネルを識別するようにＴＤＭＡセルラ・チャネルを走査するために必要とされる時間の連続的短縮である。
【０００５】
ヌース（Ｋｎｕｔｈ）他に発行された米国特許第５，１９７，０９３号は、コードレス電話が置かれる局域環境のチャネル使用パターンに適合することによってチャネルを走査しかつ選択する改善された機構を有するコードレス電話を説明している。これは、干渉を受けることなく、利用可能であることの最高確率を有するチャネルの優先順位付けリストを生じる。コードレス電話の空き時間中にチャネルを事前走査すること（ｐｒｅｓｃａｎｎｉｎｇ）によって、送受器の電力使用が最少化されかつ利用可能チャネルの敏速捕捉が可能になる。しかしながら、ヌースは最強信号を含むチャネルを発見することによってセルラ・システムの放送制御チャネルを識別することには関心がなく、むしろ最少の干渉、すなわち、最少信号強度を含むチャネルを発見することに関心がある。
【０００６】
デュオング（Ｄｕｏｎｇ）他に発行された米国特許第５，５１１，２３５号は、チャネル走査操作モード及び通信操作モードを有する受信機を説明している。チャネル走査操作モードでは、フィルタの通過帯域が通信操作モードにおけるフィルタの通過帯域に比較して狭い。
【０００７】
デゥーシット（Ｄｏｕｔｈｉｔｔ）他に発行された米国特許第５，５２４，２８０号は、高速走査（ｆａｓｔ  ｓｃａｎｎｅｄ）チャネルを識別するためにデータ・チャネルの所定リストを高速走査すること、高速走査チャネルが識別されないとき、チャネルの所定リストからのチャネルが第１時間間隔の間に評価される所の中間走査チャネルを識別するためにチャネルの所定リストを中間走査すること、及び中間走査チャネルが識別されないとき、チャネルの所定リストからのチャネルが第２時間間隔の間に評価される低速走査チャネルを識別するために、チャネルの所定リストを低速走査することを含むチャネル走査方法を説明している。
【０００８】
マサキ（Ｍａｓａｋｉ）に発行された米国特許第５，５７４，９９５号は、走査される可能な限り多くのチャネルを指定帯域幅内に含めるように周波数偏移回路で局部発振器の周波数を偏移させ、偏移周波数で指定帯域幅の各々を走査することによって所望受信信号を検出し、所望受信信号が検出された帯域幅内の各チャネルを走査し、かつ上で識別された所望チャネル周波数が前記帯域幅の中心にあるように周波数偏移回路で局部発振器の周波数を変化させる又は局部発振器の周波数を偏移させるコントローラを説明している。しかしながら、マサキは、セルラ・システムにおける場合のように、隣接チャネル信号の存在の下で検出信号をデコードし得るということに明らかに関心がない。むしろ、マサキは、隣接チャネル弁別を必要としなくてよいスペクトルのまばらな部分において信号を検出すること、及び検出信号を割り当てられている周波数チャネル化（ｆｒｅｑｕｅｎｃｙ  ｃｈａｎｎｅｌｉｓａｔｉｏｎ）ラスタを識別することに関心があるかに見える。マサキは、検出信号を受信機帯域幅の中心に置く一方、異なったチャネル化ラスタに適合した複数の受信機帯域幅の必要を回避するように識別チャネル化ラスタに受信機を適合させる。
【０００９】
二重モード・セルラ無線電話のような多重モード・セルラ無線電話は、セルラ無線電話通信にまた広く使用される。例えば、二重モード・セルラ無線電話は、狭帯域ＦＭモード及び広帯域ＣＤＭＡモードの両方で動作することがある。これに代えて、二重モード・セルラ無線電話は、ＡＭＰＳ又はＤ−ＡＭＰＳ（ＩＳ１３６）のような狭帯域セルラ標準でばかりでなく、ＧＳＭ（米国ではＰＣＳ１９００として知られている）又はＩＳ９５のようなより広い帯域幅標準でまた動作することがある。狭帯域標準は３０ｋＨｚの受信チャネル間隔を使用することがあるのに対してＧＳＭ／ＰＣＳ１９００は２００ｋＨｚチャネル間隔を使用することがある。
【００１０】
二重モード・セルラ無線電話は、一般に、異なったチャネル化ラスタ、例えば、ＧＳＭ動作に対しては２００ｋＨｚラスタ及びＤ−ＡＭＰＳ動作に対しは３０ｋＨｚラスタで動作するように、帯域幅において適合している。更に、二重モード・セルラ無線電話の受信機帯域幅は、それらの電話が意図しているチャネル間隔よりも一般に狭く、例えば、そのチャネル間隔より２０％狭い。これは、受信機帯域幅が期待チャネル間隔より広いマサキの場合と対照的である。
ヨーロッパ特許出願第０  ７２２  ２５８  Ａ２号は、ＴＤＭＡ伝送を採用するＤＥＣＴのようなディジタル無線電話システム内の基地局と通信する携帯電話システムを説明している。その携帯無線電話は、基地局によって又は携帯無線電話自体によって占有されるために締め出される各フレーム内のタイム・スロットを表すブラインド・スロット・マスク（ｂｌｉｎｄ  ｓｌｏｔ  ｍａｓｋ）を記憶することによって通信チャネルを選択するように動作可能であるアルゴリズムでプログラムされる。それゆえ、占有タイム・スロット内でどれかのチャネルを企図又は失敗すると、そのチャネルは締め出されかつブラインド・スロット・マスク内でブランドをマークされる。更に、そのアルゴリズムは、スロットの時間順序に相当する所定順序で（又はそれの逆の関係で）タイム・スロットを可用性について検査するように動作可能であって、基地局でのタイム・スロットの秩序ある充填を推進する。
ファング（Ｈｕａｎｇ）に発行された米国特許第５，７９４，１４７号は、専用（ｐｒｉｖａｔｅ）セルラ・システム内の非標準制御チャネルを敏速に捜し出す方法を、特定チャネルの変調型式を決定することによって達成することを説明している。移動局は、受信無線周波数チャネルを走査する。受信信号は、注目の特定信号用に設計された整合フィルタを使用することによってそのチャネルの変調型式を評価するために使用され、及び／又は、他の実施の形態では、変調型式を明らかにするチャネルのスペクトル・エネルギー分布を生じるために使用される。
パイレー（Ｐｉｒｅｈ）に発行された米国特許第５，０２０，０９３号は、二重帯域幅受信機を有するトランシーバ、二重制御プログラムを有する音声／論理ユニット、及び送受器（ｈａｎｄｓｅｔ  ｕｎｉｔ）を含む二重システム・セルラ電話を説明している。そのトランシーバの二重帯域幅受信機はそれの中間周波数部分に異なったフィルタを有し、これらのフィルタはどのセルラ電話システムが利用可能であるか次第で切り換えによって選択される。セルラ電話システムの１つ内でサービスが利用可能でないとき、そのユニークなセルラ電話は、他のセルラ電話システム上で動作するために受信機帯域幅及び制御プログラムを自動的に切り換える。
モーン（Ｍｏｏｎ）に発行された米国特許第５，５１７，６７７号は、過去に実際に利用した通信チャネルに関して優先的な走査技術を説明している。プログラマブル待ち行列が、チャネルが実際に使用される各度などに、定義済み判定基準に基づいた通信チャネル識別コードと共に書き込まれる。その優先待ち行列が、全ての残りの通信チャネル識別コードと関連して走査され、それによって、実際の使用を経験したチャネルの選択に向けて傾いている重み係数を与える。移動無線集団（ｍｏｂｉｌｅ  ｒａｄｉｏ  ｃｏｍｐｌｅｘ）に利用されたシステム識別コードがローミング機能に従って待ち行列に記憶され、及び着信呼を決定するために移動無線システムのホーム・チャネルを走査するときグループ識別コードがその待ち行列に記憶される。
【００１１】
したがって、チャネルを効率的に捕捉することができるセルラ無線電話及び方法の必要が引き続きある。多重モード・セルラ無線電話における改善されたチャネル捕捉の必要が特にある。
【００１２】
（発明の要約）
改善されたセルラ無線電話、走査システム及びそれらに対する方法を用意することが本発明の目的である。
【００１３】
改善された多重モード・セルラ無線電話、走査システム及びそれらに対する方法を用意することが本発明の他の目的である。
【００１４】
これらの目的及び他の目的は、広帯域幅受信モードを使用する一方、狭帯域幅受信モードで信号に対して走査することによって多重モード・セルラ無線電話に関して用意される。それゆえ、狭帯域幅信号の存在を探索するために受信周波数を走査することが望まれるとき、より広い受信機帯域幅が最初に選択される。顕著な信号エネルギーがより広い帯域幅内で識別されるとき、最強信号を含む狭帯域幅チャネルを捜し出すために狭帯域モードを使用する更に走査が行われることがある。
【００１５】
更に特に、本発明のこの態様に従えば、多重モード・セルラ無線電話は、異なった信号帯域域幅の少なくとも２つのセルラ無線電話標準に適合する。多重モード・セルラ電話は、異なった信号帯域幅の少なくとも２つのセルラ無線電話標準の帯域幅のより広い標準に適合する受信機帯域幅を選択する一方異なった信号帯域幅の少なくとも２つのセルラ無線電話標準の帯域幅のより広い標準に対して異なった信号帯域幅の少なくとも２つのセルラ無線電話標準の帯域幅のより狭い標準に適合する制御チャネルを探索するセレクタを含む。狭帯域幅標準に適合する制御チャネルは、異なった信号帯域域幅の少なくとも２つのセルラ無線電話標準の帯域幅のより広い標準における連続のチャネル周波数に同調するように受信機を制御することによって探索される。信号測定は、連続のチャネル周波数上で行われ及び信号測定は連続のチャネル周波数から少なくとも１つのチャネル周波数を選択するために全て処理される。次いで、狭受信機帯域幅が選択されかつ、例えば、最大信号強度を有するより狭い帯域幅チャネルを決定するために、少なくとも１つのチャネル周波数がより狭い帯域幅内で走査される。他の実施の形態では、複素信号サンプルを得るためにより広い帯域幅モードで受信される信号がディジタル化される。次いで、より狭い帯域幅セルラ無線電話標準におけるチャネルに相当する複数のより狭い帯域幅の各々内のエネルギーを決定するために、複素信号サンプルが処理される。したがって、より狭い帯域幅モードでセルラ・チャネルの加速走査が得られることがある。
【００１６】
本発明の他の態様に従えば、１つのＴＤＭＡタイム・スロット内の連続の周波数チャネルにセルラ無線電話を同調させかつ連続の周波数チャネルの各々について信号強度を測定することによってＴＤＭＡセルラ・チャネルの加速走査が得られることがある。次いで、好適には、同じ順序でそれら同じチャネルを使用して、同調及び測定がＴＤＭＡフレーム内のＴＤＭＡタイム・スロットの残りのスロットについて繰り返される。各周波数チャネルについて、ＴＤＭＡスロットの全て内の周波数チャネルの最大測定信号強度である信号強度がその周波数チャネルに割り当てられる。割り当てられた信号強度は、次いで、ＴＤＭＡ信号捕捉に対して周波数チャネルを選択するために使用されることがある。
【００１７】
歴史的情報がセルラ無線電話によってセルラ・チャネルの加速走査にまた使用されることがある。特に、セルラ無線電話内にセルラ無線電話ネットワークによって伝送される複数の候補制御チャネルの各々に対する初期確率表示を用意することによってこれらの候補制御チャネルの中から制御チャネルが識別されることがある。複数の候補制御チャネルが受信される前に、初期確率表示は、関連制御チャネルが制御チャネル信号の所定型式を含む確率を表示する。次いで、セルラ無線電話は、候補制御チャネルの選択された１つに同調させられる。信号は、候補制御チャネルの選択された１つ上で受信される。初期確率表示は、受信信号に基づいて候補制御チャネルの選択された１つに対して更新されて、候補制御チャネルの選択された１つに対する更新確率表示を与える。
【００１８】
候補制御チャネルの相当する１つに対する更新確率表示の１つがしきい値を超えるまで、同調、受信及び更新が候補制御チャネルの残りのチャネルに対して遂行される。次いで、候補制御チャネルの相当する１つをデコードするように企図される。候補制御チャネルの相当する１つが成功裡にデコードされるならば、成功裡にデコードされた候補制御チャネルに対する初期確率表示が更に更新される。
【００１９】
いうまでもなく、本発明の上述の態様は組み合わせて使用されることがある。それによって、セルラ無線電話によるセルラ・チャネルの加速走査が行われる。
【００２０】
（好適実施の形態の詳細な説明）
本発明を添付図面を参照して以下により充分に説明する。これらの図面には本発明の好適実施の形態を示してある。しかしながら、この発明は、異なった形で実際されることがありかつ本明細書に記載された実施の形態に限定されると解釈するべきでない。むしろ、これらの実施の形態は、この開示が徹底しかつ完全であるように、及び本発明の範囲を当業者に充分に伝えるように、与えられる。全図面を通して、同じ符号は同等の要素を指示する。
【００２１】
本発明の１態様では、ディジタル・セルラ無線電話は、少なくとも１つのＴＤＭＡバースト伝送を含むチャネルを検出するために多数のセルラ・チャネルを走査する。このようなバースト伝送は、米国ＴＤＭＡ標準ＩＳ１３６に適合するとき、２０ｍｓＴＤＭＡレーム周期で繰り返す６．６ｍｓ持続時間のバーストを含む。フレーム周期の他の１３．３ｍｓは、無音であることがある。いうまでもなく、ＴＤＭＡ信号は、複数のＴＤＭＡタイム・スロットを含む繰返しＴＤＭＡフレームとして伝送される。
【００２２】
バースト伝送が存在するときに、チャネルを走査するべきである。従来は、これは、バーストが検出されるのを保証するために全２０ｍｓの間各チャネル上に滞在して、典型的に８００チャネルを走査する時間を１６秒に増大することを意味した。本発明に従えば、典型的に２から１３チャネルの各々に典型的に０．５ｍｓの間滞在し、６．６ｍｓ周期の間各々上の信号強度測定を行う。次いで、同じチャネルを、好適には同じ順序で、次の６．６ｍｓ周期の間再び走査し、かつ第３の６．６ｍｓ周期になお再び走査する。次いで、各チャネルについて行った３つの信号強度測定の最大のものを決定し、かつ各チャネルについて、例えば、表項目に保持する。それゆえ、６．６ｍｓＴＤＭＡスロットのどの１つが信号を含もうとも、受信機はその信号について少なくとも１つの測定を行うことになる。従来技術と比較して、この走査は最高１３倍だけ速いことがあり、かつ全帯域を走査する走査時間を１６秒から２秒未満に短縮するとことがある。
【００２３】
次いで、信号強度及びオプッショナルに歴史的情報に従ってチャネルを優先順位付けし、かつ信号をデコードするように企図するために優先権の順序に従ってチャネルに代わるがわるに同調することによって、信号捕捉は進行することができる。オプショナルに、各チャネルについて行われた３つの信号測定は、チャネルが１活性スロット、２活性スロット、３活性スロットを持つＴＤＭＡ信号、又はＡＭＰＳ信号を含む公算を表示するために更に分析することができる。後者、すなわち、３活性スロット又はＡＭＰＳ制御チャネルに、所望ならば、デコーディング企図に対する優先権を与えることができる。
【００２４】
本発明の他の態様は、ＡＭＰＳ又はＤ−ＡＭＰＳ（ＩＳ１３６）のような狭帯域セルラ標準ばかりでなくヨーロッパＧＳＭ標準（米国ではＰＣＳ１９００として知られている）又は米国ＣＤＭＡ標準ＩＳ９５のような狭帯域幅標準に適合する二重帯域セルラ無線電話のような多重モード・セルラ無線電話に関する。狭帯域標準は３０ｋＨｚの受信機チャネル間隔を使用するのに対して、ＧＳＭ／ＰＣＳ１９００標準は２００ｋＨｚチャネル間隔を使用する。典型的に、受信機帯域幅は、チャネル間隔より約２０％少ない。
【００２５】
この態様に従えば、狭帯域信号の存在を探索するために受信周波数帯域を走査することが望まれるとき、より広い受信機帯域幅が選択される。次いで、３０ｋＨｚより大きな増分で、例えば、ＧＳＭ／ＰＣＳ１９００の場合に１５０ｋＨｚ増分又はＩＳ９５の場合６００ｋＨｚ増分で、受信帯域が走査される。これは、走査を、３０ｋＨｚステップを使用するのに比較して、１５０ｋＨｚステップを使用して、５分の１の時間で完成させることを可能とする。更に、先に説明したように、１３チャネルまでを毎２０ｍｓに走査することもでき、走査速度を１３×１５０ｋＨｚ毎２０ｍｓに、又は８００ＭＨｚ受信帯域の全２５ＭＨｚを走査するのに０．４秒未満に、及び１９００ＭＨｚＰＣＳ帯域の全６０ＭＨｚを走査するのに２秒未満に、上昇させる。受信機同調時間は、周波数シンセサイザ整定時間を短縮するために隣接チャネルの群を一度に走査することによって短縮されることがある。
【００２６】
顕著な信号エネルギーがより広い帯域幅で識別されるとき、最強信号を含む３０ｋＨｚチャネルを精確に捜し出すために狭帯域フィルタを使用する更に走査が起こされることがある。例えば、ＰＣＳ１９００受信機帯域幅を使用して走査された１５０ｋＨｚセグメントが信号強度及びオプショナルには歴史的情報に従って優先順位付けされ、かつ次いで、上に説明した技術を使用して追加の２０ｍｓをかけて、３０ｋＨｚの５ステップで優先権の順序に再び走査される。信号の存在が特定３０ｋＨｚチャネルに狭められているとき、８００ＭＨｚ受信帯域でＡＭＰＳ制御チャネルをデコードする、これに代えて、１９００ＭＨｚ受信帯域でＤ−ＡＭＰＳディジタル制御チャネルをデコードする企図が行われる。
【００２７】
チャネル探索を優先順位付けするために歴史的情報を使用することは、妥当信号が最近検出されたチャネルを記憶すること、妥当信号が或るチャネルでそれより下では決して検出されていない信号強度しきい値を記憶すること、及び／又は妥当信号がそれより上では常に又は普通検出されている信号強度しきい値を記憶することを含む。他の歴史的情報も使用されることがある。
【００２８】
本発明の讓受人に讓渡された「移動体電話内の簡単化基準周波数分布（Ｓｉｍｐｌｉｆｉｅｄ  Ｒｅｆｅｒｅｎｃｅ  Ｆｒｅｑｕｅｎｃｙ  Ｄｉｓｔｒｉｂｕｔｉｏｎ  Ｉｎ  Ａ  Ｍｏｂｉｌｅ  Ｐｈｏｎｅ）」と題するゴア（Ｇｏｒｅ）、ドルマン（Ｄｏｌｍａｎ）、本発明者デント（Ｄｅｎｔ）による米国特許出願第０８／９７４，２２７号は、数を減らした集積回路及び数を減らした無線周波数接続を含む簡単化アーキテクチャを有する移動体無線電話を説明している。二重帯域二重モード移動体無線電話は、交番記号速度（ａｌｔｅｒｎａｔｉｖｅ
ｓｙｍｂｏｌ  ｒａｔｅｓ）、チャネル間隔、又は送信／受信二重間隔を達成することができるというように、単一結晶基準発振器又は２つの結晶のどちらかを使用して構成することができる。本発明は、チャネルを探索するときどの帯域幅を使用するか制御することができるものであって、上に引例した米国特許出願第０８／９７４，２２７号に説明されたような多重モード・セルラ無線電話において実施されるハードウェア及び／又はソフトウェアであってよい。
【００２９】
本発明の讓受人に讓渡された「走査受信機を備えるセルラ通信装置及び同装置を採用する連続移動体通信システム（Ｃｅｌｌｕｌａｒ  Ｃｏｍｍｕｎｉｃａｔｉｏｎ  Ｄｅｖｉｃｅ  ｗｉｔｈ  Ｓｃａｎｎｉｎｇ  Ｒｅｃｅｉｖｅｒ  ａｎｄ  Ｃｏｎｔｉｎｕｏｕｓ  Ｍｏｂｉｌｅ  Ｃｏｍｍｕｎｉｃａｔｉｏｎ  Ｓｙｓｔｅｍ  Ｅｍｐｌｏｙｉｎｇ  Ｓａｍｅ）」と題する本発明者デンド（Ｄｅｎｔ）による米国特許出願第                    号、（事件番号Ｐ０９９４４）は、分離広帯域ディジタル化チャネル及び狭帯域通信受信機を有するセルラ無線電話を説明しており、この電話では広帯域ディジタル化受信機は全帯域幅の短サンプルを採り、このサンプルをディジタル化して数値サンプルを生じ、かつ高速フーリエ変換（Ｆａｓｔ  Ｆｏｕｒｉｅｒ  Ｔｒａｎｓｆｏｒｍ；  ＦＦＴ）を使用して数値サンプルを処理してディジタ・チャネル化を遂行し、それによって並列式に全てのチャネル内のエネルギーを測定する。この出願の原理の或るものは、本願にまた使用してよい。しかしながら、いうまでもなく、本発明を上の２つの同時係属出願を引例して説明するが、本発明は、いかなるセルラ無線電話にも、好適には、ＴＤＭＡ信号を受信する多重モード・セルラ無線電話に組み込んでよい。
【００３０】
図１は、上に説明した米国特許出願第０８／９７４，２２７号の図１２の再生である。図１に従う二重帯域幅セルラ無線電話は、無線周波数で信号を受信しかつそれらをシンセサイザ１４によって制御される局部発振器信号とのヘテロダイン混合を使用して中間周波数（Ｉｎｔｅｒｍｅｄｉａｔｅ  Ｆｒｅｑｕｅｎｃｙ；  ＩＦ）に変換するフロント・エンドを含む。ＩＦ信号は、広帯域フィルタ１５ＷＢ又は代わりに狭帯域フィルタ１５ＮＢのどちらかを使用してフィルタされる。更に、増幅及び周波数変換がＩＦチップ１６内で行われ、かつ、次いで、最終ＩＦ信号が、ディジタル信号処理ユニット２０内で、例えば、本発明者に発行された米国特許第５，０４８，０５９号に説明された対数極座標ディジタイザを使用して、ディジタル化されかつ処理される。ディジタル信号処理ユニット２０は、広帯域又は狭帯域フィルタ信号をフロント・エンド１２、ＩＦチップ１６、及びシンセサイザ１４のどれか又は全てへの制御線（図示してない）によって処理するかどうか制御することがまたできる。米国特許出願第０８／９７４，２２７号に詳細に説明されているように、アンテナ１０、ジュープレクサ１１、電力増幅器１３、第２位相ロック・ループ１７、変調器１８、送信オフセット位相ロック・ループ１９、水晶基準発振器２１、及び低域通過フィルタ２４がまた具備されている。
【００３１】
図２は、図１に類似しているが、しかしデカルト（Ｃａｒｔｅｓｉａｎ）又はＩ／Ｑダウンコンバータ及びＡ・Ｄ変換を使用して広帯域ディジタル化が遂行される。図２は、上に挙げた米国特許出願第０８／９７４，２２７号の図４に相当する。
【００３２】
図３は、上に挙げた米国特許出願第０８／９７４，２２７号の図１５に相当し、かつ単一結晶のみを使用する二重モード二重帯域幅セルラ無線電話を示す。ディジタル信号プロセッサ２０からＩＦチップ１６への「選択モード」制御線が広帯域フィルタＩＦ信号又は狭帯域フィルタ信号を処理するかどうか決定する。
【００３３】
図４は、上に挙げた米国特許出願第０８／９７４，２２７号の図１７に相当する。図４は、図３に類似しているが、しかし全ての無線周波数及びチャネル間隔を導出するために単一結晶２２ａを使用する一方、狭帯域Ｄ−ＡＭＰＳモードで交番サンプリング・レートを発生するために代わりの結晶２２ｂを具備する。図１から４のセルラ無線電話の全ては、二重帯域フロントエンドをまた採用することができ、このフロントエンドは８００ＭＨｚ又は９００ＭＨｚ米国又はヨーロッパ・セルラ帯域ばかりでなく１８００ＭＨｚ又は１９００ＭＨｚヨーロッパ又は米国ＰＣＳ帯域での動作を可能にする。ディジタル信号処理ユニット２０は、等化器、高速フーリエ変換のような動作を遂行するプログラマブルＤＳＰ、動作のタイミング及び流れを制御する汎用マイクロプロセッサ、及びそれらの組合わせのような専用信号処理論理を含むことができる。
【００３４】
図１〜４のいずれかに従う二重帯域幅受信機は、狭チャネル間隔に適合した狭帯域幅のみを有する受信機に比較して狭帯域幅チャネルを走査することに対する少なくとも２つの利点を有することができる。第１に、より広い帯域幅モード（ＧＳＭモードにおいて約１５０ｋＨｚ帯域幅）は、同時に５つのＡＭＰＳ又はＤ−ＡＭＰＳ３０ｋＨｚ間隔チャネルを包含する。したがって、信号エネルギーの識別は、５つのチャネルの少なくとも１つが信号を含むことを暗示する。それゆえ、最強信号を含むスペクトルのエリアを、３０ｋＨｚステップでの走査の約５倍速くそれら５つのチャネルへと狭めることができる。
【００３５】
第２の利点は、３０ｋＨｚのステップに代えて２００ｋＨｚのステップで受信機を同調させるために使用される周波数シンセサイザは、一般に、３０ｋＨｚステップのみに対して設計されたシンセサイザよりも遥かに速く周波数を切り換えることができるということである。典型的に、周波数切換え時間は、３０ｋＨｚステップに対する２ｍｓと比較して０．５ｍｓに過ぎない。これは、より狭い帯域幅と比較して整定をを必要としないで同じ精度で信号を１５０ｋＨｚ帯域幅内に正しく納めるという事実に部分的に因っている。
【００３６】
図５は指示したようにまとめて配置される図５Ａ〜５Ｄを含み、本発明に従う二重モード・セルラ無線電話を使用してＡＭＰＳ又はＤ−ＡＭＰＳチャネルを捜し出す走査の実施の形態を例示する流れ図である。当業者が承知するように、本発明は、全面的ハードウェア実施の形態、全面的ソフトウェア実施の形態、又はソフトウェア態様とハードウェア態様の組合わせ実施の形態の形を取ることがある。またいうまでもなく、流れ図の各ブロック、流れ図内のブロックの組合わせは、指定機能を遂行する手段の組合わせ及び指定機能を遂行するステップの組合わせを支持する。またいうまでもなく、流れ図の各ブロック及び流れ図内のブロックの組合わせは、指定機能又はステップを遂行する専用ハードウェア・ベース・コンピュータ・システムによって、又は専用ハードウェアとコンピュータ命令の組合わせによって実施することができる。
【００３７】
図５を参照すると、二重モード・セルラ無線電話を使用して狭帯域ＡＭＰＳ又はＤ−ＡＭＰＳチャネルを捜し出す走査戦略は、ブロック５０２で広帯域（ＧＳＭ）受信機モードを選択することによって開始する。ブロック５０４で、受信機をＡＭＰＳ制御チャネルを含むスペクトルの領域に同調させ、かつ受信機を、例えば、１５０ｋＨｚのステップでステップ同調させ、信号強度平均時間の間各チャネルに滞在させ、かつ測定した平均時間強度を記録する。ステップ５０６で、どれかの測定平均信号強度が所定しきい値を超えるかどうか試験を行う。もし肯定ならば、ブロック５１２で、狭帯域ＡＭＰＳモードを選択する。ブロック５１４で、受信機をブロック５０６で識別した最高平均時間強度の領域内にある３０ｋＨｚチャネル・ステップの第１に同調させ、次いでその領域内の逐次３０ｋＨｚチャネルに同調させ、ＡＭＰＳ受信機帯域幅を使用して各３０ｋＨｚチャネル内の平均信号強度を測定する。ブロック５１６で、最大信号強度を含むＡＭＰＳチャネルを識別する。ブロック５１８で、受信機をそのチャネルに同調させ、かつアナログ制御チャネルをデコードするようにする。
【００３８】
ブロック５２２で、アナログ制御チャネルが適正にデコードされないならば、ブロック５２４で、しきい値より上の追加信号強度が存在するかどうか決定する。もし肯定ならば、ブロック５２２でＡＭＰＳ制御チャネルを発見するまで、ブロック５０６における所定しきい値より上の信号強度を持つブロック５０４の広帯域走査で識別した全ての領域についてＡＭＰＳ受信機帯域幅を使用してブロック５１４〜５２２を繰り返す。
【００３９】
図５の説明を続けると、ブロック５２４で所定しきい値を超える信号を含む領域がないならば又はブロック５０８で追加アナログ制御チャネルを発見することができないならば、ブロック５２６で広帯域（ＧＳＭ）モードを再選択しかつブロック５２８で受信機をＡＭＰＳディジタル制御チャネル又はＤ−ＡＭＰＳトラフィック・チャネルが捜し出されるかもしれないスペクトルの領域に同調させる。
【００４０】
ブロック５３２で、受信機を或る１つのチャネルに同調させてかつ平均信号強度測定を６．６ｍｓより短い期間にわたって行う。ブロック５３４で、例えば、１５０ｋＨｚステップで増分することによって、逐次チャネルに対して同調を増分する。ブロック５３６で６．６ｍｓの合計時間を使用しないならば、ブロック５３２で平均信号強度測定を再び遂行する。ブロック５３６でいったん６．６ｍｓの合計時間を使用したならば、ブロック５３８でカウンタを１だけ増分する。ブロック５４２で３つのパスを遂行していないと仮定すると、使用した２０ｍｓの合計時間の間に３フル・パスを行うまで追加パスを行う。いうまでもなく、それらのパスの各々で、それら同じチャネルを好適には同じ順序で測定する。
【００４１】
ブロック５４４で、ブロック５３２〜５４２において各チャネル上で行った３つの信号強度測定の最大のものを保持する。次いで、Ｄ−ＡＭＰＳスペクトルの全領域を走査してしまうまで他のチャネルを使用してブロック５３２〜５３４を繰り返す。ブロック５４６でいったんＤ−ＡＭＰＳスペクトルの全領域を走査してしまうと、次いでブロック５４８で最高保持信号測定を含むＤ−ＡＭＰＳスペクトルの領域を識別する。ブロック５５２で、保持信号強度のどれかが所定しきい値より大きいかどうか試験を行う。もし大きいならば、ブロック５５４で狭帯域Ｄ−ＡＭＰＳモードを選択しかつカウンタをゼロにセットする。ブロック５５６で、受信機をブロック５４８で識別した最大信号強度の領域内の第１の３０ｋＨｚチャネルに同調させ、かつ６．６ｍｓより短い期間に信号強度測定を行う。ブロック５５８で、受信機を１５０ｋＨｚ領域内に包含された５つの狭帯域チャネルの上側チャネルに逐次同調させ、かつブロック５６２で全てのチャネルを測定してしまうまで、ブロック５５８で、信号強度測定を、６．６ｍｓ内に全て、各々について行う。ブロック５６４でカウンタを１だけ増分する。ブロック５６６で３つのパスを行なっていないと仮定すると、ブロック５５６〜５６４の第２パスと第３パスを行う。前のように、各パスは、好適には、同じ順序でそれら同じチャネルを使用する。
【００４２】
次いで、ブロック５６８で、ブロック５５６〜５６６で行った３つの信号強度測定の最大のものを各チャネルについて保持する。ブロック５７２で、受信機を最大信号強度を含むチャネルに同調させ、かつＤ−ＡＭＰＳトラフィック信号又はディジタル制御チャネル（ＤＣＣ）を検出するようにする。
【００４３】
ブロック５７４で、Ｄ−ＡＭＰＳトラフィック・チャネルを検出するならば、ブロック５７６でＤＣＣの周波数を決定するために「予約ビット（ｒｅｓｅｒｖｅｄ  ｂｉｔ）」を読み出し、次いで、その周波数に同調する。ブロック５７４でＤ−ＡＭＰＳトラフィック・チャネルを検出しなかったならば、ブロック５７８でＤ−ＡＭＰＳディジタル制御チャネルを検出したかどうか試験を行う。肯定ならば、ブロック５８２でディジタル制御チャネルをデコードする。否定ならば、ブロック５６８における他の保持信号強度が所定しきい値を超えたかどうかについてブロック５８４の試験を行う。肯定ならば、しきい値を超える保持信号強度の全てを試験するまでブロック５５６〜５８４の操作を繰り返す。ブロック５５６〜５８４の処理の結果としてディジタル制御信号を捜し出さないならば、ブロック５８６でＧＳＭ制御チャネルを捜し出すようにする。
【００４４】
ブロック５８６で、ＧＳＭ制御チャネルは周波数制御バースト（Ｆｒｅｑｕｅｎｃｙ  Ｃｏｎｔｒｏｌ  Ｂｕｒｓｔ；  ＦＣＢ）と呼ばれる狭帯域エネルギーのバーストを含み、このバーストは近似的にＡＭＰＳ受信機帯域幅の程度の狭帯域幅を使用してより容易に識別することもできる。したがって、広帯域ＧＳＭ制御チャネルを捜し出すために狭Ｄ−ＡＭＰＳ帯域幅を選択することが有効であり得る。逆に、上のステップで説明したように、狭帯域ＡＭＰＳ又はＤ−ＡＭＰＳチャネルを捜し出すのを助けるために広ＧＳＭ帯域幅を選択することが有利である。
【００４５】
いうまでもなく、図５は、（ｉ）ＡＭＰＳ、（ｉｉ）Ｄ−ＡＭＰＳ、（ｉｉｉ）ＧＳＭという制御チャネルを捜し出す優先権の順序を仮定した。しかしながら、この順序は、例えば、加入者がセルラ・サービス提供者に関して有する加入の型式に基づいて変動させることができる。セルラ無線電話は、選択サービス提供者によって採用されたシステム、いわゆる「好適システム（ｐｒｅｆｅｒｒｅｄ  ｓｙｓｔｅｍ）」の型式の制御チャネルを捜し出そうとまず企図することがある。好適システムの定義は、セルラ運用者によってスマート・カードにプログラムされることがあり、又は、これに代えて、オプションのプログラム・メニューからキーボード及びのディスプレイを使用してユーザによって選択されることがある。
【００４６】
更に、システムの他の型式を捜し出すようにする前にシステムの１つの型式の全面探索を完了することは、必要とは限らない。例えば、１９００ＭＨｚ内の高信号強度の１５０ｋＨｚ領域がＤ−ＡＭＰＳ信号を含まないと判明するならば、それはＧＳＭ信号を含むと合理的に仮定することができる。その仮説は、Ｄ−ＡＭＰＳ信号に対する他の１５０ｋＨｚ領域を試験する前に試験することができる。一般に、異なったシステムを探索する順序は歴史的情報を使用して変動させることができ、かつ単一型式のシステムについてチャネルを探索する順序は歴史的情報を使用して優先順位付けすることができる。このような情報は、例えば、電話が周波数の第１リスト上のＤ−ＡＭＰＳ制御チャネルに、第２リスト周波数上のＡＭＰＳ制御チャネルに、及び／又は周波数の第３リスト上のＧＳＭ制御チャネルに最も頻繁にロックしているということを含むことができる。過去にいかに頻繁に各周波数が選択されたかを記憶することができ、かつそれらの周波数を確率の順序に従って最初に走査することができる。信号の成功捕捉がそれより上で先に記された信号強度をまた記憶することができる。もし、走査の際、このような信号強度を超えるならば、その信号を優先権順序に従う他の信号を評価する前に読み出すようにすることができる。それゆえ、歴史的情報は、信号を発見する前に電源投入後の時間遅延を平均して短縮する企図に使用することができる。更に、無線電話は、リスト内のチャネルに、各々が最後に使用されて以来の経過時間、各々が最後に使用された時刻、日付けを注釈することができ、又はそれらを最近の使用の順序に単に記憶することができる。したがって、最近使用したチャネルを最初に探索することもできる。
【００４７】
図６は、上に挙げた米国特許出願第                    号、（事件番号Ｐ０９９４４）の図２と４の組合わせである。図６は、セルラ無線電話を例示し、この電話では広帯域ディジタル化受信機が全走査帯域幅を周期的にディジタル化し、多数の狭帯域幅チャネルの各々についてエネルギー値を得るために複素信号サンプルを処理する。図６の詳細な説明は、上に挙げた米国特許出願第
号に見ることもでき、ここに繰り返す必要はない。この技術は、ブロック５０４で、ＧＳＭ受信機の複素ベクトル・ディジタイザを使用して、ＧＳＭ帯域幅内で受信した信号をディジタル化する。このディジタイザは、例えば、本発明者に発行された米国特許第５，０４８，０５９号の対数極座標ディジタイザであってよい。サンプルをその帯域幅に対するナイキスト速度より高い速度で収集し、次いで、ＦＦＴのようなディジタル・チャネル化システムにゆだね、ＦＦＴはこの信号を異なったより狭い周波数帯域に分割する。次いで、それらの周波数帯域の各々内のエネルギーをサンプリグ周期にわたって平均して、各より狭いチャネルについて信号強度測定を得る。
【００４８】
この処理を受信機を同調させる又はサンプルを収集又はディジタル化するために使用されないディジタル信号プロセッサのような他の信号処理資源を使用して「オフライン」で行ってよい。したがって、１つのチャネルに同調させた受信機で先に収集したサンプルのディジタル信号処理を行う一方で、その受信機を他のチャネルに同調させる又はそれらのチャネル上のサンプルを収集することができる。このことから、ブロック５０４が大きなステップで帯域を走査し続けるのと同時にブロック５０４内で収集したサンプルをディジタル信号処理することによって、ブロック５０６、５１２、及び５１４を置換することを許すことができる。同様に、ブロック５２６〜５２２がＧＳＭ帯域幅使用して受信した信号の複素ディジタル化及びその信号を３０ｋＨｚ周波数増分に分割するためのその信号のディジタル処理を含むならば、ブロック５５４〜５６８を除去しかつディジタル信号処理に含めてよく、それゆえＤ−ＡＭＰＳ信号の検出をスピードアップすることがある。
【００４９】
ＧＳＭ帯域幅が選択されるとき、２７０．８３３ｋサンプル／ｓのＧＳＭ複素サンプリング・レートがまた選択されることがある。サンプリング・タイムがまた、約０．５ｍｓの１ＧＳＭスロットのＧＳＭサンプリグ・タイムであるように選択されて、少なくとも１２８複素サンプルを与える。遷移影響が優勢であるサンプリング窓の開始と終でいくらかのサンプルを廃棄することを許すためにもっと多くのサンプルを採るならば、好適には、１２８妥当サンプルが収集される。この数であれば、サンプルのスペクトル内容を決定しかつそれによって最大エネルギーを含むサブチャネルを決定するためにベース２ＦＦＴ（ｂａｓｅ−２ＦＦＴ）を有利に使用することができる。
【００５０】
スペクトルの逐次３等分部（ｔｒｉｓｅｃｔｉｏｎ）に基づいて最大エネルギーを含む３０ｋＨｚサブチャネルを決定する潜在的により効率的方法を説明する。まず、隣接サンプルの毎対を
ＥＶＥＮ＋ＯＤＤ
ＥＶＥＮ＋ｊ．ＯＤＤ
ＥＶＥＮ−ｊ．ＯＤＤ
によって定義される３つの異なったやり方で組み合わせて、３×６４＝１９２組合わせ結果を得る。同じ組合わせ方法に相当する６４結果の各組内で、６４複素数の絶対値二乗（ｍｏｄｕｌｕｓ  ｓｑｕａｒｅｄ）を計算しかつ加算する。次いで、最高二乗和絶対値（ｈｉｇｈｅｓｔ  ｓｕｍｓｑｕａｒｅ  ｍｏｄｕｌｕｓ）を与えたその組合わせ方法の結果を保持して、３つの周波数偏移−Ｆｓ／４、０、又は＋Ｆｓ／４のうちの１つの選択を表す。ここに、Ｆｓはサンプリング・レート（２７０．８３３ｋＨｚ）である。これらの信号サンプルは、最大スペクトル・エネルギーを含む領域を中心にもたらすように、−６７ｋＨｚ、０、又は＋６７ｋＨｚだけ周波数偏移させられている。サンプルの数は、このディシメーション（ｄｅｃｉｍａｔｉｏｎ）プロセスによって、また１２８から６４と半分にされている。このプロセスは、帯域幅を半分にすることがまたできる。
【００５１】
このプロセスを６４の残りサンプル上で繰り返して、−３４ｋＨｚ、０、＋３４ｋＨｚの周波数偏移によってそのスペクトルを更に３等分することがある。この段の後、元の帯域幅のどの３０ｋＨｚ細区分（ｓｕｂｄｉｖｉｓｉｏｎ）がエネルギーの大部分を含むかは明白であるはずであるが、しかし、もし望むならば少なくとももう１つの段で周波数デシメーション・プロセスを実施することもまた可能である。二乗和絶対値数字を保存することは、スペクトル・ピークの位置に関する及び１ピークより多くのピークがあるかどうかの端緒を与えることがまたでき、かつまたサンプル信号がＤ−ＡＭＰＳ又はＧＳＭ信号であったかどうか判定する助けになる。そのチャネルが
ａ）  有効信号を含まないか、
ｂ）  ＡＭＰＳアナログ制御チャネルを含むか、
ｃ）  Ｄ−ＡＭＰＳトラフィック・チャネル又はＤＣＣを含むか、
ｄ）  ＧＳＭ  ＢＣＣＨを含むか
の確率推定が各周波数チャネルについて累積されることがある。チャネル走査結果と組み合わされたアプリオリな歴史的又は開始確率に基づいて充分に高い確率を検出するとき、有効信号を含む最高確率を有するチャネルと同期させかつこのチャネルからデータを読み出す充分な企図に基づいて受信機を開始させることができる。
【００５２】
より多くのディジタル信号処理を遂行することについての１つの不利は、走査の間中電池電流を増大させるかもしれないことである。これは、信号を捕捉するために使用するミリアンペア−時間の合計数を減少させるというような、より敏速な信号捕捉によって埋め合わせることもでき、電池寿命にとって有利である。しかしながら、信号が発見されない場合もあり、したがって、探索モードで大電力を消費続けることは不利といえる。
【００５３】
本発明の広範な原理を上に説明し、かつ本発明をユーザの加入の性質に従って適合させることができる多くのやり方を指摘した。本発明の走査戦略の異なった適合性をメニュー方式ディスプレイ（ｍｅｎｕ  ｄｒｉｖｅｎ  ｄｉｓｐｌａｙ）を介して再プログラムしかつユーザ選択できることをまた指摘することができる。代わりに、異なった適合性を無線電話によって周期的に試みることができ、かつ、その信号環境に遭遇するとき、異なった信号環境の中で平均して最も敏速にチャネルを発見する適合性を好適戦略として選択することができる。
【００５４】
図面及び明細書に、本発明の典型的好適実施の形態を開示してあり、かつ特定用語を採用してあるが、それらは総称的かつ説明的意味にのみ使用され、限定目的のために使用されているのではなく、本発明の範囲は前掲の特許請求の範囲に記載されている。
【図面の簡単な説明】
【図１】  本発明の加速走査を用意するために使用することができるセルラ無線電話のブロック図である。
【図２】  本発明の加速走査を用意するために使用することができる、図１に類似の、しかし広帯域ディジタル化を遂行するセルラ無線電話のブロック図である。
【図３】  本発明の加速走査を用意するために使用することができる単一結晶を使用する二重モード二重帯域幅セルラ無線電話のブロック図である。
【図４】  本発明の加速走査を用意するために使用することができる、図３に類似の、単一結晶を使用する一方代わりの結晶を備えるセルラ無線電話のブロック図である。
【図５】  本発明に従う加速走査を例示する流れ図であって、Ａ〜Ｄは指示されたようにまとめて配置される各部分図である。
【図６】  本発明の加速走査を用意するために使用することができるセルラ無線電話の更に他の態様のブロック図である。
【図１】
0004371585.tif 000002
【図２】
0004371585.tif 000003
【図３】
0004371585.tif 000004
【図４】
0004371585.tif 000005
【図５Ａ】
0004371585.tif 000006
【図５Ｂ】
0004371585.tif 000007
【図５Ｃ】
0004371585.tif 000008
【図５Ｄ】
0004371585.tif 000009
【図６】
0004371585.tif 000010